(57)【要約】【課題】配信機能を用いる際に送信先ユーザに複数の送信方法が使用可能な通信環境で送信を早く、確実に行うために必要な送信先ユーザ設定における操作性改善を図る。【解決手段】スキャナ配信のキー操作で開かれるスキャナ画面で読取り条件及び送信先を指示した後、指示した送信先ユーザの送信条件を設定するための図１２の画面に入る。設定は登録しておいた１ユーザに使用可能な複数送信方法（表示領域７９）に対し４種の設定法（表示領域８３）から指定された１方法により決めた送信方法を選択して送信する。「送信回数優先」又は「登録日時優先」の指定では、送信方法の属性として管理する実績送信回数の多い順又は登録日時の新しい順に指定の「宛先数」だけ送信方法を選択、設定し、スキャナ読取り画像の配信を行うようにする。【選択図】    図１２
2005012414.tif 000002
【特許請求の範囲】
【請求項１】
画像の配信機能を備え、該配信機能を実現するための手段として、配信画像と送信先ユーザーの指定による送信指示に従い、配信画像に対し送信先ユーザーに対応付けて登録されている送信方法を設定する手段、該送信方法設定手段により設定された送信方法により配信画像を送信する手段を有する画像形成装置であって、送信先ユーザーごとに配信に用いた送信方法の実績送信回数をカウントする手段を設け、前記送信方法設定手段は、複数の送信方法が登録されている送信先ユーザーに対して設定する送信方法として、前記実績送信回数の多い送信方法を選択する手段を備えたことを特徴とする画像形成装置。
【請求項２】
請求項１に記載された画像形成装置において、前記送信方法選択手段は、実績送信回数の多いものから順に入力操作によって指定される数の送信方法を選択する手段であることを特徴とする画像形成装置。
【請求項３】
画像の配信機能を備え、該配信機能を実現するための手段として、送信先ユーザーに対応付けて送信方法を登録する手段、配信画像と送信先ユーザーの指定による送信指示に従い、配信画像に対し送信先ユーザーに対応付けて登録されている送信方法を設定する手段、該送信方法設定手段により設定された送信方法により配信画像を送信する手段を有する画像形成装置であって、前記送信方法の登録手段に登録日時を記録する手段を設け、前記送信方法設定手段は、複数の送信方法が登録されている送信先ユーザーに対して設定する送信方法として、前記送信方法の登録手段に記録された登録日時の新しい送信方法を選択する手段を備えたことを特徴とする画像形成装置。
【請求項４】
請求項３に記載された画像形成装置において、前記送信方法選択手段は、登録日時の新しいものから順に入力操作によって指定される数の送信方法を選択する手段であることを特徴とする画像形成装置。
【請求項５】
請求項２又は４に記載された画像形成装置において、前記送信方法選択手段における入力操作によって指定される選択条件を送信先ユーザーごとに設定可能としたことを特徴とする画像形成装置。
【請求項６】
請求項１乃至５のいずれかに記載された画像形成装置において、前記送信方法選択手段により選択された送信方法を表示する手段を設けたことを特徴とする画像形成装置。
【発明の詳細な説明】
【０００１】
【発明の属する技術分野】
本発明は、入力される画像や蓄積されている画像を外部の画像処理装置に送信する配信機能を備えた画像形成装置（例えば、複写機、プリンタ、複合機等）に関し、送信先（ユーザー）に複数の送信方法を用いることができる通信環境において、早く確実な送信を可能にし、配信機能利用時の設定操作における操作性の改善を図ることを可能にする手段を備えた前記画像形成装置に関する。
【０００２】
【従来の技術】
今日、デジタル複写機、プリンタ、及び複写、ＦＡＸ、プリンタ、スキャナの各機能を複合させたデジタル複合機等の画像形成装置をネットワーク接続することにより、それぞれの機能を実現するための資源を、ネットワーク接続した装置相互に或いはこのネットワークに接続されたホスト（クライアント）コンピュータにより共有できるようにしたシステムが一般化しつつある。
このような画像形成装置を共有するシステム、或いは該システム化を可能にすべく構成された装置として提案された従来例を下記「特許文献１，２」に示すことができる。
「特許文献１」には、デジタル複写機のイメージスキャナ機能をネットワーク接続されたＰＣ（パーソナルコンピュータ）により共用するシステムであり、スキャナ機能を共用する複数のユーザーに対して優先順を設け、現行ユーザーの要求に応じた動作を行っているときに他ユーザーの使用要求が発生した場合は、優先順位の高いユーザーに使用権を与え、また、各ユーザーはジョブの進行状態を知ることが可能なシステムを構成する、としている。
また、「特許文献２」には、複合複写装置の複合されたスキャナ、プリンタ等の機能をネットワーク経由でクライアントや同種の複合複写装置で共用することを可能にする情報処理システムであり、スキャナ機能の例ではスキャナ読み取り画像をクライアント側に送信する際に、電子メールやファイルサーバ等の異なった形式の文書で複数の宛先に（即ち、異なる送信方法を用いて）送信することを可能とするものである。「特許文献２」では、複数の宛先への送信にあたって、ユーザーが送信先を簡単且つ効率的に設定可能とするために、宛先表に例えば個人別に電子メールやデータベース等の複数種類の送信先（宛先）を１つに纏めて登録しておき、個人宛にスキャナ送信を設定する時に、宛先表を参照することにより得られる送信先からの選択により、送信先を複数指定することが可能になり、送信する度に送信先を入力する手間が省ける、としている。
【０００３】
【特許文献１】
特開平９−２１４６４５号公報
【特許文献２】
特開２００１−３５８８６４号公報
【０００４】
【発明が解決しようとする課題】
ところで、デジタル複合機を共有するシステムにおいて、ホストＰＣからデジタル複合機に対し、印刷に用いる画像を送信して印刷出力を行わせたり、或いはデジタル複合機からスキャナ等により入力される画像や蓄積されている画像をホストＰＣへ配信させるために、これらの間で画像の通信が行われる。近年、システムの規模の拡大に連れて、多種のネットワークが利用され、また、特に画像の送受信においてはホスト側で利用し得る通信方法がホストごとに様々であるといった状況が起きており、こうしたシステム構成をサポートできるように、システム全体としてその環境が整えられつつある。
このような状況で、特定のユーザーに対しても複数の通信方法を用いること（例えば、ユーザーが通信方法を異にした複数の配信サーバを利用する場合や、ユーザーのＰＣが複数の通信方法に対応可能である場合など）が可能な環境が整備されてくると、同じユーザー宛に複数の通信方法を用いることが可能になるので、複数の通信方法を用いた送信が試みられ、上記「特許文献２」にそのような例を見ることができる。
しかしながら、上記「特許文献２」では、宛先表に登録された複数の送信先（送信方法）の一覧表示画面から送信先を指定することにより、送信先を選択する操作を行って、複数の送信先の設定ができるようにしているが、選択はオペレータ（ユーザー）の判断に任される方法をとっている。
従って、宛先表に登録された複数の送信方法の違いが直ぐに分かる状況ではない場合には、各送信方法の利用が適当か否かを判断し、その結果により必要な方法の設定操作を行うということになる。
この設定操作は、例えば、送信方法を意識せずに可能な方法であればどのような送信方法でも良く、とにかく送信先ユーザーに早く、確実に送信したいという要望を持つオペレータにとって煩わしく、こうした煩わしさを感じることなく、要望に適う解決手段が提案されることが期待されている。なお、デジタル複写機からのスキャナ配信機能について示す上記特許文献１には、送信方法の選択性を明示する記述はなく、上記した課題の解決手段を提案するものではない。
本発明は、入力される画像や蓄積されている画像を外部の画像を利用する機器に送信する配信機能を備えた画像形成装置（例えば、デジタル複写機、プリンタ、デジタル複合機等）における上記した従来技術の問題点に鑑みてなされたもので、その目的は、配信機能を利用する際に、送信先（ユーザー）に複数の送信方法を用いることができる通信環境で送信を早く、確実に行うことを可能にするために必要な送信先（ユーザー）の設定操作における操作性の改善を図ることを可能にする手段を備えた前記画像形成装置を提供することにある。
【０００５】
【課題を解決するための手段】
請求項１の発明は、画像の配信機能を備え、該配信機能を実現するための手段として、配信画像と送信先ユーザーの指定による送信指示に従い、配信画像に対し送信先ユーザーに対応付けて登録されている送信方法を設定する手段、該送信方法設定手段により設定された送信方法により配信画像を送信する手段を有する画像形成装置であって、送信先ユーザーごとに配信に用いた送信方法の実績送信回数をカウントする手段を設け、前記送信方法設定手段は、複数の送信方法が登録されている送信先ユーザーに対して設定する送信方法として、前記実績送信回数の多い送信方法を選択する手段を備えたことを特徴とする画像形成装置である。
請求項２の発明は、請求項１に記載された画像形成装置において、前記送信方法選択手段は、実績送信回数の多いものから順に入力操作によって指定される数の送信方法を選択する手段であることを特徴とするものである。
【０００６】
請求項３の発明は、画像の配信機能を備え、該配信機能を実現するための手段として、送信先ユーザーに対応付けて送信方法を登録する手段、配信画像と送信先ユーザーの指定による送信指示に従い、配信画像に対し送信先ユーザーに対応付けて登録されている送信方法を設定する手段、該送信方法設定手段により設定された送信方法により配信画像を送信する手段を有する画像形成装置であって、前記送信方法の登録手段に登録日時を記録する手段を設け、前記送信方法設定手段は、複数の送信方法が登録されている送信先ユーザーに対して設定する送信方法として、前記送信方法の登録手段に記録された登録日時の新しい送信方法を選択する手段を備えたことを特徴とする画像形成装置である。
請求項４の発明は、請求項３に記載された画像形成装置において、前記送信方法選択手段は、登録日時の新しいものから順に入力操作によって指定される数の送信方法を選択する手段であることを特徴とするものである。
【０００７】
請求項５の発明は、請求項２又は４に記載された画像形成装置において、前記送信方法選択手段における入力操作によって指定される選択条件を送信先ユーザーごとに設定可能としたことを特徴とするものである。
請求項６の発明は、請求項１乃至５のいずれかに記載された画像形成装置において、前記送信方法選択手段により選択された送信方法を表示する手段を設けたことを特徴とするものである。
【０００８】
【発明の実施の形態】
本発明を添付する図面とともに示す以下の実施形態によって説明する。
下記実施形態は、スキャナ入力等の配信モードの動作が可能な画像形成装置をデジタル複写（複合）機とし、ネットワークを介して接続可能としたクライアント（或いはサーバ）ＰＣに対するスキャナ配信動作を行うことが可能な手段を備えた装置として実施した例を示す。
図１は、本発明の実施形態に係わるデジタル複写機の全体構成を概略図として示す。
図１を参照し、本デジタル複写機が動作モードとして行う、コピー、コピーサーバ、スキャナ配信の各モードの動作に必要な装置構成、機能を、画像入力（原稿読み取り）、入力画像データの処理、処理後の画像出力（画像書き込み、画像データの配信）、という処理の流れに沿って、以下に説明する。
自動原稿送り装置（以下「ＡＤＦ」と記す）１に設けた原稿台２に原稿の画像面を上にして置かれた原稿束は、ユーザーにより操作部３０（図２参照）のスタートキー３４の押下により動作がスタートされ、一番下の原稿から給送ローラ３、給送ベルト４によってコンタクトガラス６上の所定の位置に給送される。この時、一枚の原稿の給送完了毎に原稿枚数をカウントアップするカウント機能により読み取り原稿の枚数を管理情報として得る。給送されたコンタクトガラス６上の原稿は読み取りユニット５０によって画像データが読み取られ、読み取りが終了した原稿は、給送ベルト４及び排送ローラ５によって排出される。さらに、原稿セット検知器７にて原稿台２に次の原稿が有ることを検知した場合、前の原稿と同様にコンタクトガラス６上に給送される。給送ローラ３、給送ベルト４、排送ローラ５は搬送モータ（図示せず）によって駆動される。
【０００９】
書き込みユニット５７では、読み取りユニット５０にて読み取られた画像データに基づいて生成された作像データによりレーザ出力ユニット５８のレーザの発光を制御し、感光体１５にレーザ書き込みにより潜像を作る。潜像を担う感光体１５は現像ユニット２７を通過することによって潜像にトナーを付着させ、トナー像が形成される。トナー像を保持する感光体１５の回転と等速で搬送ベルト１６によって転写紙を搬送しながら、転写紙に感光体１５上のトナー像を転写する。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。転写後のトナー像を担った転写紙は、その後、定着ユニット１７にて画像を定着させ、排紙ユニット１８によって後処理装置のフィニッシャ１００に排出される。
【００１０】
後処理装置のフィニッシャ１００は、本体の排紙ユニット１８によって搬送された転写紙を、排紙トレイ１０４方向と、ステープル台１０８方向へ導くことができる。切り替え板１０１を下に切り替えることにより、搬送ローラ１０２，１０３を経由して排紙トレイ１０４側に排紙することができる。また、切り替え板１０１を上に切り替えることで、搬送ローラ１０５，１０７を経由して、ステープル台１０８に搬送することができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
一方、排紙トレイ１０４は転写紙搬送方向に対し左右に移動可能な排紙トレイである。この排紙トレイ１０４は、原稿毎、あるいは、ソーティングされたコピー部毎に、転写紙搬送方向に対し左右に移動し、排出されてくるコピー紙を簡易に仕分けるものである。
【００１１】
転写紙の両面に画像を作像する場合は、各給紙トレイ８〜１０から給紙され作像された転写紙を排紙トレイ１０４側に導かないで、両面入紙搬送路１１３に経路を切り替え、反転ユニット１１２を経由して、一旦両面給紙ユニット１１１にストックする。
その後、両面給紙ユニット１１１にストックされた転写紙は再び感光体１５に作像されたトナー画像を転写するために、両面給紙ユニット１１１から再給紙され、定着後に今度は排紙トレイ１０４に導かれる。この様に転写紙の両面に画像を作成する場合に両面給紙ユニット１１１は使用される。
また、反転排紙の際には、反転ユニット１１２を経由して反転排紙搬送路１１４１を通って排紙トレイ１０４に導かれる。
感光体１５、搬送ベルト１６、定着ユニット１７、排紙ユニット１８、現像ユニット２７はメインモータ（図示せず）によって駆動され、各給紙装置１１〜１３はメインモータの駆動力を各々給紙クラッチ（図示せず）によって伝達し駆動される。縦搬送ユニット１４はメインモータの駆動力を中間クラッチ（図示せず）によって伝達し駆動される。
【００１２】
図２は、本装置（図１）においてユーザーが指令入力を行うために設けられた操作部３０を示す。操作部３０には、液晶タッチパネル３１、テンキー３２、クリア／ストップキー３３、スタートキー３４、予熱キー３５、リセットキー３６、初期設定キー３７、コピーキー３８、コピーサーバキー３９、スキャナキー４１があり、液晶タッチパネル３１には、各種機能キー（図３参照）、部数、画像形成装置の動作状態等の装置状態を示すメッセージなどを示す画面が表示される。
初期設定キー３７の押下により、機械の初期状態を任意にカスタマイズすることが可能である。機械が収納している用紙サイズを設定することや、コピー機能のモードクリアキーを押したときに設定されるデフォルト状態を任意に設定可能である。また、一定時間操作が無いときに優先して選択されるアプリケーション等も選択するとか、国際エネルギースター計画に従った低電力への移行時間の設定や、オートオフ／スリープモードへの移行する時間を設定することが可能である。
予熱キー３５を押下すると、機械は待機状態から、電力低減状態に移行し、定着温度を低下させることや、操作部３０の表示を消灯する。予熱状態は、国際エネルギースター計画で言う、低電力状態を意味している。また、予熱状態、オフ状態／スリープ状態を解除し、待機状態に移行させるには、この予熱キー３５を再度押下する。
コピーキー３８を押下すると、原稿画像のコピー、即ち原稿の読み取りから始まる印刷処理が可能になる。
コピーサーバキー３９は、画像記憶装置に蓄積されている画像データを印刷したりするコピーサーバ機能を実行させるときに使用する。なお、コピーサーバ動作の詳細は、後述する。
スキャナアプリキー４１は、原稿を蓄積したり、スキャナ（読み取りユニット５０）より読み取った入力画像や蓄積されている画像データなどを外部に送信する（スキャナ配信）ときに使用する。スキャナアプリ動作の詳細は、後述する。
【００１３】
図３は、操作部３０（図２）の液晶タッチパネル３１に表示される画面の一例を示す。図３は、コピーサーバキー３９を押した場合に表示される画面４０である。
オペレータが液晶タッチパネル３１の画面４０に表示されたキーにタッチすることで、選択された機能を示すキーが黒く反転する。また、機能の詳細を指定しなければならない場合（例えば、印刷条件等）は、キーにタッチすることで、詳細機能の設定画面が表示される。このように、液晶タッチパネル３１は、ドット表示器を使用しているので、その時の最適な表示をグラフィカルに行うことが可能である。
【００１４】
図４は、メインコントローラを中心に、本複写機における制御システムの概略構成を示したものである。
メインコントローラ２０は複写機全体を制御する。メインコントローラ２０には、液晶タッチパネル３１によるオペレータに対する表示、オペレータからキー３２〜３５の入力を受けて機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。
各分散制御装置とメインコントローラ２０は必要に応じて機械の状態、動作司令のやりとりを行っている。また紙搬送等に必要なメインモータ２５、各種クラッチ２１〜２４も接続されている。
【００１５】
図１に戻り、原稿読み取りから画像の書き込みまでの本実施形態のデジタル複写機の動作をより詳細に説明する。この動作は、読み取りユニット５０と書き込みユニット５７での動作が中心である。
読み取りユニット５０は、原稿を載置するコンタクトガラス６と走査光学系で構成されており、走査光学系は、露光ランプ５１、第１ミラー５２、レンズ５３、ＣＣＤイメージセンサ５４等で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で走行するような移動機構を用いる。図示しないスキャナ駆動モータは、この移動機構を介して走査光学系を駆動、走査する。原稿画像は、ＣＣＤイメージセンサ５４によって読み取られ、電気信号に変換されて処理される。
【００１６】
書き込みユニット５７はレーザ出力ユニット５８、結像レンズ５９、ミラー６０により構成され、レーザ出力ユニット５８の内部には、レーザ光源としてのレーザダイオード及びモータによって高速で定速回転する多角形ミラー（ポリゴンミラー）などが装備されている。
レーザ出力ユニット５８より照射されるレーザ光は、定速回転するポリゴンミラーで偏向され、結像レンズ５９を通り、ミラー６０で折り返され、感光体１５面上に集光結像する。
偏向されたレーザ光は感光体１５が回転する方向と直行する方向（主走査方向）に露光走査され、後述する本機の画像処理制御部（図５）のセレクタ６４より出力された画像信号のライン単位の記録を行う。感光体の回転速度と記録密度に対応した所定の周期で主走査を繰り返すことによって、感光体面上に画像（静電潜像）が形成される。
書き込みユニット５７から出力されるレーザ光が、画像作像系の感光体１５を主走査方向に照射すると同時に、感光体１５の一端近傍の受光位置に設けたビームセンサ（図示せず）を照射することにより、主走査同期信号を発生する。この主走査同期信号をもとに主走査方向の画像記録開始タイミングの制御、および後述する画像信号の入出力を行うための制御信号の生成を行う。
【００１７】
次に、スキャナ入力（原稿画像読み取り）した画像信号から画像出力（画像書き込み、画像データの配信）に利用する画像データを生成するまでの画像処理の制御を司る本複写機の画像処理ユニット（ＩＰＵ）４９について、詳細に説明する。
図５は、本実施形態の複写機に係わる画像処理ユニット（ＩＰＵ）４９をブロック図にて示す。
読み取りユニット５０では、露光ランプ５１により照射される原稿からの反射光を、ＣＣＤイメージセンサ５４にて光電変換する。イメージセンサから出力される原稿画像信号をＡ／Ｄコンバータ６１にてデジタル信号に変換した後、シェーディング補正部６２及びＭＴＦ補正、γ補正部６３にて各補正が施される。セレクタ６４では、補正後の画像信号の送り先を、印字合成部７１を介して入力した画像データを変倍回路７７へ、或いは、画像メモリコントローラ６５へ切り替えて供給し、変倍回路７７を経由した画像信号は変倍率に合せて拡大縮小され、書き込みユニット５７に送られる。なお、印字機能は、画像メモリ６６の後段の印字合成部７１で行ない、転写紙毎に印字を付加する。
画像メモリコントローラ６５とセレクタ６４間は、双方向に画像信号を入出力可能な構成となっている。図５には特に明示していないが、ＩＰＵ４９には読み取りユニット５０から入力される画像データ以外にもＩ／Ｏポート６７を介して外部から供給される画像データ、例えば、パーソナルコンピュータ等の画像データ処理装置から入力したデータを処理できるよう、また、処理後のスキャナ入力画像を外部に出力できるように、複数のデータの入出力を選択する機能を有しているものとする。
【００１８】
また、本実施形態では、Ｉ／Ｏポート６７を介して複写機をネットワーク接続しており、その通信手段には、インターネットの標準プロトコルとして普及しているＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）関連を含む複数種の通信プロトコルによる通信手段を用いる。
図７は、本実施形態のデジタル複写機が接続されたネットワークの構成を例示する。同図には、本デジタル複写機１をネットワーク接続されたＰＣ（パーソナルコンピュータ）により共用するシステムを例示している。
この例では、デジタル複写機１のイメージスキャナ機能等の各種機能を共用するクライアントＰＣは、イーサネット（登録商標）を物理手段として用い、次に示すような通信方法により送信される画像などを受けるようにしており、例えば、ＦＴＰ（Ｆｉｌｅ  Ｔｒａｎｓｐｏｒｔ  Ｐｒｏｔｏｃｏｌ）による通信が可能なＦＴＰサーバやＳＭＴＰ（Ｓｉｍｐｌｅ  Ｍａｉｌ  Ｔｒａｎｓｐｏｒｔ  Ｐｒｏｔｏｃｏｌ）による通信が可能なＳＭＴＰサーバを介してデジタル複写機１からのデータのサービスを受ける。なお、ＳＭＴＰサーバからのサービスを受けるためには、ＰＯＰ（Ｐｏｓｔ  Ｏｆｆｉｃｅ  Ｐｒｏｔｏｃｏｌ）を用いる。また、ＳＭＢ（Ｓｅｒｖｅｒ  Ｍｅｓｓａｇｅ  Ｂｌｏｃｋ）によるピア  ツー  ピア通信によれば、デジタル複写機１からのサービスを直接、受けることができる。また、本例のデジタル複写機１にはＦＡＸ機能が複合されている（図５には不図示）ので、配信サーバを介してＦＡＸ機能を利用するための通信手段を用意している。
さらに、上記した通信手段を用いることにより、ネットワーク接続されたデジタル複写機１の機械構成情報や動作状況、もしくはリモート出力コマンド等の制御コマンド、設定コマンド、または外部サーバと画像データや送信先アドレス帳データの送受信を行っている。
【００１９】
また、画像処理ユニット（ＩＰＵ）４９内には、画像メモリコントローラ６５等への設定や、読み取りユニット５０、書き込みユニット５７の制御を行うＣＰＵ６８、及びそのプログラムやデータを格納するＲＯＭ６９、ＲＡＭ７０、ジョブ関連情報等の管理情報を保存するＮＶ−ＲＡＭ７４を備えている。更にＣＰＵ６８は、メモリコントローラ６５を介して、画像メモリ６６のデータの書き込み、読み出しが行える。
原稿画像で画像メモリコントローラ６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書き込むことも可能であるが、１枚の原稿画像で画像メモリの容量を大変多く使用する。画像圧縮を行うことで、限られた画像メモリ６６を有効に利用できる。また、一度に多くの原稿画像データを記憶することが出来るため、ソート機能として、貯えられた原稿画像イメージデータをページ順に出力することができる。ソート機能を用いて画像を出力する際に画像メモリ６６のデータをメモリコントローラ６５内の伸長装置で順次伸長しながら出力を行う。このような機能は一般に「電子ソート」と呼ばれている。
また画像メモリの機能を利用して、複数枚の原稿画像を、画像メモリの転写紙一枚分のエリアを分割したエリアに順次読み込むことも可能となる。例えば４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。
【００２０】
画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込むことで画像メモリの処理を行うことができる。加工された画像は再度画像メモリ６６に保持される。
画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラ６５とのインターフェースにリード用とライト用の二組のアドレス・データ線で接続されている。これによりエリア１に画像を入力（ライト）する間にエリア２より画像を出力（リード）するという動作が可能になる。
画像メモリ６６は、多くの画像データを収納するためハードディスクが用いられることもある。ハードディスクを用いることにより、外部電源が不用で永久的に画像を保持できる特徴もあり、本機ではコピーサーバ機能やスキャナ配信機能を実現するために必要な要素である、複数の定型の原稿（フォーマット原稿）をスキャナで読み込み保持するために、このハードディスクを用いるのが一般的である。即ち、スキャナより読み取った画像データを電子メールなどによって外部に配信する際のデータのエンコード処理や配信の宛先データを持つアドレス帳などの保管や編集、削除といった一連の動作を行う際にも利用される。
書き込み、読み出しには本体の作像やスキャナからの画像書き込みに対し処理速度の差を吸収する為に、画像メモリに一旦記憶され処理される。また画像記憶装置からのデータを書き込みユニット５７に送る際は、画像メモリ６６に一旦記憶し、書き込みユニット５７に送ることになる。このように画像を記憶する装置の画像メモリ６６、ＨＤ７５、スキャナ画像、書き込みユニットに送る画像の入出力は全てメモリコントローラ６５によって画像パスを決める。
このようにＣＰＵ６８が画像データの入力、出力を決めることでＣＰＵ６８に接続されたメモリコントローラ６５が画像の流れを切り替えることが可能となる。
【００２１】
ここで、セレクタ６４における１ページ分の画像信号について説明する。
図８は、１ページ分の画像データに関連するタイミング信号の関係を示すタイミングチャートを示す。
フレームゲート信号（／ＦＧＡＴＥ）は、１ページの画像データにおける副走査方向の有効期間を表している。主走査同期信号（／ＬＳＹＮＣ）は、１ライン毎の主走査同期信号であり、この信号が立ち上がった後の所定クロックで、画像データが有効となる。
主走査方向の画像信号が有効であることを示す信号が、ラインゲート信号（／ＬＧＡＴＥ）である。これらの／ＦＧＡＴＥ、／ＬＳＹＮＣ、／ＬＧＡＴＥの各信号は、画素同期信号（画素クロック：ＶＣＬＫ）に同期しており、ＶＣＬＫの１周期に対し１画素分、例えば８ビット（２５６階調）のデータが送られてくる。実施例としては、転写紙への書込密度４００ｄｐｉ、最大画素数は、主走査４８００画素、副走査６８００画素といった値を採用することが可能である。また本例では、画像データは２５５に近いほど白画像になる。
図６は、本デジタル複写機の複合機能を実現するために構築されるシステムを例示する。図６に示すように、コピーサーバ（既に蓄積されている画像を操作する）機能、スキャナ配信機能は、それぞれコピーサーバアプリ、スキャナアプリとして設け、コピーアプリ、プリンタアプリと同列で起動させ、それぞれが独立した動作をするものとする。共有資源である操作部、周辺機、画像形成部、画像読み取り部、メモリはシステムコントローラにより調停される。各アプリは、操作部が提供する仮想画面にそれぞれの操作画面情報を書き込むことが可能である。操作部はシステムコントローラから指示される操作部オーナーアプリの仮想画面の画面情報を実画面に展開する。
【００２２】
コピーサーバ機能を用いて蓄積画像の編集を行う場合は、操作部３０（図２）においてコピーサーバキー３９を押下する。
図９に示す表示画面は、図２に示したコピーサーバキー３９を押下したときに液晶タッチパネル３１に表示される画面の例である。同図に示すように、表示領域には、既に登録され、画像記憶部（画像メモリ或いはＨＤＤ等）に蓄積されている印刷出力などの操作が可能な画像データを特定するための画像管理情報としてユーザーＩＤ、文書名、ページ数、蓄積時刻が表示される。ユーザーＩＤは該画像形成装置に接続されたパーソナルコンピュータのプリンタドライバーにて付けられるためプリンタ機能による蓄積画像にのみ存在する。文書名は画像蓄積をする毎に付けられる。ページ数は蓄積した原稿画像の枚数である。蓄積時刻は画像蓄積された時の時間を表す。なおこの時の画像管理情報は不揮発メモリＮＶ−ＲＡＭ７４に保持されており、電源断時でもその画像情報は保持され続ける。図９の表示領域７０では３個の画像情報のみ表示されているが、同図に示す「前へ」キー「後へ」キーを押下することにより表示されていない画像情報が表示可能である。表示領域７０に表示されている各画像情報を押下すると画像情報表示部分が黒色に反転する。これを選択状態と呼ぶ。複数の画像情報が選択状態として指定可能である。
蓄積画像に対する編集機能として、「リストから削除」「印刷条件変更」、「文書印刷」機能がある。文書を選択し「リストから削除」キーを押下すると選択された文書が削除される。文書を選択し、「印刷条件」キーを押下すると、タッチパネル上の表示は図１０に示す画面になる。ここで、各種の印刷条件を設定し、プリントキー３４を押下することにより、設定された印刷条件に従って選択された蓄積文書画像に基づく印刷出力を行う。例えば、図１０にて「機密印字」を押下する。このとき、図示しないが、タッチパネル上に印字パターンが表示される。ここで、例えば印字パターンの一つである「社外秘」キーに対する入力操作を行った後、プリントキー３４を押下することにより、選択した文書に応じた全ページの蓄積画像に「社外秘」という文字を印字し出力する。
なお、コピーサーバ機能で用いる蓄積画像は、コピー画像を自動で取り込む以外に、コピー出力せずにスキャナ読み取り画像を蓄積することができるように、図９の表示画面に原稿読み取りキーを設け、このキーの操作により画像の蓄積を可能とする。
【００２３】
スキャナ配信機能を用いてスキャナで読み取った画像データや蓄積されている画像データを外部に送信する場合、操作部３０（図２）においてスキャナキー４１を押下する。なお、この“スキャナ配信機能”では、下記で説明する様に、スキャナ入力のみならず他の機能を用いて入力され、画像記憶部（画像メモリ或いはＨＤＤ等）に蓄積された文書を配信の対象に含む。
図１１に示す表示画面は、図２に示したスキャナキー４１を押下したときに液晶タッチパネル３１に表示される画面の例である。同図に示す画面で読み取り条件変更キー７１を押下すると、図示しない読み取り条件の変更に用いる表示画面に切り替わり、スキャナからの原稿の読み取りに対して、この画面におけるキー入力操作により原稿種類、解像度、原稿サイズ、濃度等を変更し、設定することができる。
また、図１１に示す表示画面におけるその他の設定キー７６の押下によりそれぞれ送信者名、件名／本文、ファイル形式の設定画面の表示に切り替わり、それぞれ送信者名、ファイルに付けられる件名／本文などのファイル名、ファイル形式の設定が可能となる。
また、この表示画面における送信先ユーザー選択領域７３には、送信先（宛先）として設定できる個人やグループ等の名称の一覧がスクロール方式で表示できるようにしておき、名称に対するキー操作により送信先（宛先）を指定し、送信方法を設定する次の設定手順への移行を可能とする。
【００２４】
さらに、図１１に示す表示画面における宛先編集キー７７を押下することで、送信先ユーザー選択領域７３で指定された送信先ユーザーに対応して登録された送信方法の登録の変更、或いはタイトル８７に示すように“送信方法設定法”の選択により送信方法の設定を変更することができる。
図１２は、宛先編集キー７７を押下したときに表示される画面を例示する。
図１２の画面では、選択された送信先ユーザーが持つ送信方法が画面の送信方法リスト表示領域７９に表示される。また、この画面の編集対象リスト７８に並んでいる送信先ユーザーの中から編集したい送信先ユーザーを指定するキー操作を行うことにより、画面の送信方法リスト表示領域７９を選択した送信先ユーザーが持つ送信方法の画面に切り替えることができる。
ここで、異なる送信方法ごとに表示される宛先を示すアドレスは、変更キー８０の押下により、アドレスを変更するための入力操作ができるような仕組み、例えば、図示しない編集画面を開き、そこで編集入力の操作を行うことができるようにする。このときに変更されたアドレスは、送信方法リスト表示領域７９の表示に反映されるようにし、その確認を可能にする。
また、図１２の宛先編集画面では、異なる送信方法ごとに設けた削除キー８１の押下により、対応する送信方法を削除することが可能で、個々の送信方法の利用を不可とする場合に対応できる。さらに、新規に送信方法を追加したい場合には新規追加キー８２を押下することにより、アドレスを追加するための入力操作ができるような仕組み、例えば、図示しない追加画面を開き、そこで新規に追加するアドレスの入力操作を行うことができるようにする。このときに追加されたアドレスは、送信方法リスト表示領域７９の表示に反映されるようにし、その確認を可能にする。送信方法が増えると、「前へ／後へ」キー８６が表示され、このキーの操作により画面をスクロールすることで表示領域を越える数であってもその表示が可能になる。
【００２５】
図１２の宛先編集画面における領域８３には、送信方法の設定法を指定するための操作キー８４や入力ボックス（数字入力）８５を設けている。ここで行う入力操作により、実際に用いる送信方法を設定するために用意された複数のバリエーションの設定法から選択し、指定された方法に従って送信方法を決め、送信実行用に設定する。
設定法のバリエーションに対応して設けた操作キー８４の一つは、「すべて」キーで、このキーを選択すると、指定の送信先ユーザーに登録されているすべての送信方法による送信を行う。
また、「手動キー」を選択すると、送信時に手動で選択された送信方法による送信を行う。
次の「送信回数優先」キーは、本実施形態に特有の操作キー８４の一つである。、このキーを選択すると、指定の送信先ユーザーに登録されている送信方法の中から実績送信回数の多い送信方法を選択して、その送信方法による送信を行う。
ところで、実績送信回数により送信方法を選択するためには、過去の実績としてこれまでに実際に送信が行われたことを示す実績送信回数を管理し、送信方法を設定する際にそのデータを提供する必要がある。この送信回数は登録されている送信方法の属性データとして管理するようにし、管理に必要な処理としては、スキャナ配信機能を用いてスキャナで読み取った画像データや蓄積されている画像データを外部に送信する処理を実行した際、送信処理の終了時に、使用した送信方法の送信回数をカウントアップする送信回数更新処理の手順を付加するという方法を用いることにより、実施し得る。
【００２６】
図１４は、実績送信回数を管理するために行う送信回数の更新処理に係わる本実施形態のフローチャートを示す。
図１４を参照して、この処理フローを説明すると、送信回数の更新処理は、送信処理の完了時のタイミングで行うので、先ず送信完了をチェックし、その確認ができたら（Ｓ１０１−ＹＥＳ）、送信回数更新処理を開始する（Ｓ１０２）。
ここでは、配信の指示において送信先ユーザーに対し複数の送信方法を用いる設定がなされたという前提で、設定された複数の送信方法（本例では、宛先のアドレス）それぞれの送信実行を確認して、送信方法ごとに更新処理を行うという手順を踏むので、まず設定された送信方法をサーチして（Ｓ１０３）、取り出した一つの送信方法について、実際に送信に使用されたか否かをチェックする（Ｓ１０４）。
このチェックの結果、実際に送信に使用された場合には、送信回数の更新処理を行うので、保存されていたこれまでの実績送信回数をカウントアップ（「送信回数＋１」）する（Ｓ１０５）。この後、次の送信方法をサーチするための変数をセットする（Ｓ１０６）。なお、この手順（Ｓ１０６）は、実際に送信に使用されずに（Ｓ１０４−ＮＯ）、更新処理をパスした場合にも行う。
ステップＳ１０６で次の送信方法をサーチするためにセットされた変数に基づいて、更新処理の対象になる未処理の送信方法が存在するか、否か（判断は、変数が配信指示で設定された送信方法の数を越えることはない）をチェックし（Ｓ１０７）、存在すれば、送信方法をサーチするステップＳ１０３からの手順を再び次の送信方法に対して用いる。
更新処理の対象になる未処理の送信方法が存在しなければ（Ｓ１０７−ＮＯ）、更新処理の結果を不揮発性メモリ７４に保存し、処理を終了する。
【００２７】
上記のようにして管理される実績送信回数に基づいて送信方法の中から実績送信回数の多い送信方法を選択することが可能になる。この場合に選択条件として、送信先（宛先）数を設定することにより、その数に絞って実績送信回数の多い上位送信先への送信を行うことを可能にする。
また、この送信先（宛先）数は、操作入力により可変設定し得るようにする。このために宛先編集画面における領域８３の「送信回数優先」キーの並びに数字ボックス８５を設け、そこを用いて、ユーザーはテンキーなどで「宛先数」を設定することを可能とする。
例えば、「宛先数」として２を設定したときには、実績送信回数の多い上位２つの送信方法を選択して、その送信方法による配信が行われる。なお、この「送信回数優先」キーは、一度も送信されたことのない送信先ユーザーに対しては設定できない。
【００２８】
また、宛先編集画面（図１２）における領域８３に設けた本実施形態に特有の操作キー８４の一つである「登録日時優先」キーを選択すると、指定の送信先ユーザーに登録されている送信方法の中から登録日時の新しい送信方法を選択して、その送信方法による送信を行う。
ところで、登録日時の新しい送信方法を選択するためには、指定された送信方法を登録した日時を管理し、配信に用いる送信方法を選択し設定する際にこのデータを提供する必要がある。このために、登録日時は、登録されている送信方法の属性データとして管理するようにする。
登録日時を送信方法の属性データとして管理するためには、送信方法を送信先ユーザーに対応付けて管理する送信先アドレス帳などの送信先情報管理方式の下に送信方法に関連付けて保存するという方法が有効である。
本実施形態では、登録日時を送信方法に関連付けて保存する処理は、図１２を参照して上記で説明した「宛先編集」における送信方法の登録時（図１２の画面上で宛先の“変更”或いは“新規追加”の入力操作を行った時など）に複写機１に内蔵されている時計を参照することにより、そのときの日時データを取得し、送信先ユーザー管理情報における送信方法の属性データとして不揮発性メモリ７４に保存するという方法を用いることにより、実施し得る。
【００２９】
図１５は、登録日時を送信先ユーザー管理情報として保存する処理に係わる本実施形態のフローチャートを示す。
図１５を参照して、この処理フローを説明すると、登録日時の保存処理は、登録処理の完了時のタイミングで行うので、先ず登録完了をチェックし、その確認ができたら（Ｓ２０１−ＹＥＳ）、登録日時を送信先ユーザー管理情報における送信方法の属性データとして設定する処理を開始する（Ｓ２０２）。
始めに登録日時として、内蔵の時計を参照して、現在日時を取得し（Ｓ２０３）、。得た日時を登録した送信方法の属性データ（登録日時データ）として設定する（Ｓ２０４）。
次に、ステップＳ２０４の設定に従い、登録日時データを送信先ユーザー管理情報における登録した送信方法の属性データとして扱うことが可能な形式で不揮発性メモリ７４に保存し（Ｓ２０５）、処理を終了する。
【００３０】
上記のようにして管理される登録日時に基づいて送信方法の中から登録日時の新しい送信方法を選択することが可能になる。この場合に選択条件として、送信先（宛先）数を設定することにより、その数に絞って登録日時のより新しい上位送信先への送信を行うことを可能にする。
また、この送信先（宛先）数は、操作入力により可変設定し得るようにする。このために宛先編集画面における領域８３の「登録日時優先」キーの並びに数字ボックス８５を設け、そこを用いて、ユーザーはテンキーなどで「宛先数」を設定することを可能とする。
例えば、「宛先数」として１を設定したときには、登録日時の最も新しい送信方法を選択して、その送信方法による配信が行われる。
なお、宛先編集（図１２）における編集結果、即ち、送信回数、登録日時、送信方法の設定法を指定する領域８３などの操作入力は不揮発性メモリ７４内に格納され、変更されるたびに書きかえられる。
【００３１】
図１１の表示画面によるスキャナ配信の指示を行うための操作に関する説明に戻ると、スキャナ配信の送信条件は、上記のようにして行われる宛先編集画面（図１２）による結果が反映される。
即ち、図１１の表示画面における送信先ユーザー選択領域７３を用いて、宛先（送信方法）の設定を行うが、そのときに、先の宛先編集画面（図１２）の領域８３によって指定された送信方法の設定法よって決定される宛先が設定される。
ここで、オペレータ（ユーザー）が指定する設定法に従って決定される宛先（送信方法）の設定処理の手順について、その実施形態を説明する。
以下に示す実施形態は、送信先ユーザーに登録されている複数の通信方法に対し「送信回数優先」「登録日時優先」が指定されている場合に、それぞれの指示に対応した送信方法の設定を可能とする。
図１６は、本実施形態におけるオペレータ（ユーザー）が指定する設定法に従う宛先（送信方法）の設定処理のフローチャートを示す。
図１６を参照して、この処理フローを説明すると、この設定処理は、送信先ユーザーに複数の送信方法が登録されていることが前提になるので、先ず、送信先ユーザー選択領域７３（図１１）或いは編集対象リスト７８（図１２）を通してユーザー（オペレータ）によって指定された送信先ユーザーに対し送信方法が登録されているか、否かを調べ（Ｓ３０１）、送信方法が登録されていない場合には（Ｓ３０２−ＮＯ）、処理対象外であるから、この処理を終了する。
【００３２】
他方、送信方法が登録されている場合には（Ｓ３０２−ＹＥＳ）、宛先編集画面（図１２）の領域８３でユーザー（オペレータ）によって指定された送信方法の設定法を検索する（Ｓ３０３）。
宛先編集画面（図１２）の領域８３では、４種類の設定法が指定できるが、ここでは、「送信回数優先」と「登録日時優先」を対象にする処理として実施する（即ち、「すべて」は処理を要しないし、「手動」は、後記に示すように別のルーチンを用意している）ので、「送信回数優先」、「登録日時優先」のどちらかの設定法が指定されていることをチェックし（Ｓ３０４，Ｓ３０７）、何れでもない場合には（Ｓ３０７−ＮＯ）、処理対象外であるから、この処理を終了する。
「送信回数優先」が指定されている場合には（Ｓ３０４−ＹＥＳ）、指定された送信先ユーザーに対し登録された送信方法の属性として管理されている実績送信回数を調査して、送信方法の中から実績送信回数の多い送信方法を選択することを可能にするために、回数の多い順に優先順位を決める（Ｓ３０５）。次いで、この場合に選択条件として、ユーザーによって宛先編集画面（図１２）の領域８３で指示された送信先（宛先）数に従い、実績送信回数の多い上位から順にその数に絞った宛先に送信するための設定を行う（Ｓ３０６）。
また、「登録日時優先」が指定されている場合にも（Ｓ３０７−ＹＥＳ）、指定された送信先ユーザーに対し登録された送信方法の属性として管理されている登録日時を調査して、送信方法の中から登録日時の新しい送信方法を選択することを可能にするために、登録日時の新しい順に優先順位を決める（Ｓ３０８）。次いで、この場合に選択条件として、オペレータ（ユーザー）によって宛先編集画面（図１２）の領域８３で指示された送信先（宛先）数に従い、登録日時の新しい上位から順にその数に絞った宛先に送信するための設定を行う（Ｓ３０６）。
「送信回数優先」、「登録日時優先」の何れの場合も、指定した設定法により設定された送信方法、及びその送信順位をオペレータ（ユーザー）に知らせるために宛先表示領域７４にフィードバック表示する（Ｓ３０９）。
【００３３】
このように、宛先編集画面（図１２）の領域８３で「すべて」「送信回数優先」「登録日時優先」が送信方法の設定法として指定された場合には、それぞれに対応する上記で説明した設定法によって決定された送信先（宛先）が設定され、その結果が宛先表示領域７４に表示される。オペレータ（ユーザー）は、指定した送信方法が設定されているかをフィードバック表示する宛先表示領域７４によって確認することができる。
また、宛先編集画面（図１２）の領域８３で指定された送信方法の設定法が「手動」であった場合には、送信先ユーザー選択領域７３（図１１）で送信したい送信先ユーザキーを押下することにより手動設定に用いる画面を開くようにする。
図１３は、このとき開かれる表示画面であり、登録されている送信先ユーザー管理情報から作られた送信方法の一覧表示画面８８を例示する。この一覧表示画面８８に表示された送信方法に対するキー操作により送信に用いる方法として選択する送信方法を指定し、ＯＫキーを押下することで決定する。この場合にも、指定した送信方法が設定されているかをフィードバック表示する宛先表示領域７４によって確認することができる。
さらに、送信先ユーザー一人あたりの送信手段数が多くなるのを防ぐため、図２の初期設定キー３７を押下して表示される図示しない管理者用設定内で、送信先ユーザー一人あたりに送信する送信方法の数を可変設定できるようにしても良い。例えば、送信方法の数に３を設定した場合には、図１２の宛先編集画面で送信可能とする送信方法数を４以上の設定を不可とし、又図１３の送信方法の選択画面で４以上の送信方法の選択が不可となるようにする。
【００３４】
【発明の効果】
（１）  請求項１，２の発明に対応する効果
送信先ユーザーに対応付けて登録された複数の送信方法から実績送信回数の多い送信方法を選択して設定を行うことを可能にしたので、送信方法にこだわらずに  “送信先ユーザーにとにかく画像を早く、確実に送信したい”というオペレータ（ユーザー）の要望を満たすことが可能になり、また、配信機能を利用するオペレータにとって、送信先ユーザーを指定するという簡単な方法で設定操作を行うことが可能になる。
また、実績送信回数の多い送信方法から順に入力操作によって指定される数の送信方法を選択するようにして、必要以上の送信動作を行わせないようにすることを可能にしたので、コストを低減させ、装置のパフォーマンスの向上を図ることができる。
【００３５】
（２）  請求項３，４の発明に対応する効果
送信先ユーザーに対応付けて登録された複数の送信方法から送信方法の登録日時の新しい送信方法を選択して設定を行うことを可能にしたので、送信方法にこだわらずに  “送信先ユーザーにとにかく画像を早く、確実に送信したい”というオペレータ（ユーザー）の要望を満たすことが可能になり、また、配信機能を利用するオペレータにとって、送信先ユーザーを指定するという簡単な方法で設定操作を行うことが可能になる。
また、登録日時の新しい送信方法から順に入力操作によって指定される数の送信方法を選択するようにして、必要以上の送信動作を行わせないようにすることを可能にしたので、コストを低減させ、装置のパフォーマンスの向上を図ることができる。
【００３６】
（３）  請求項５の発明に対応する効果
入力操作によって指定される選択条件を送信先ユーザーごとに設定可能としたので、さらにパフォーマンスの最適化を図ることが可能になる。
（４）  請求項６の発明に対応する効果
選択された送信方法を表示する手段を備えることにより、操作ミスなどによる設定の誤りをチェックできるので、確実性の向上を図ることが可能になる。
【図面の簡単な説明】
【図１】本発明の実施形態に係わるデジタル複写（複合）機の全体構成を概略図として示す。
【図２】デジタル複写機（図１）の液晶タッチパネル付き操作部の１例を示す。
【図３】操作部（図２）のコピーサーバキー押下時に表示される設定操作画面の一例を示す。
【図４】デジタル複写機（図１）のメインコントローラを中心にした制御システムの概略構成を示す。
【図５】デジタル複写機（図１）における画像処理制御部をブロック図として示す。
【図６】本発明の実施形態に係わるデジタル複写機の複合機能を実現するために構築されるシステムを例示する。
【図７】配信機能を持つデジタル複写機をネットワーク接続して構成するシステムの構成を例示する。
【図８】１ページ分の画像データとそれに関連するタイミング信号の関係を示すチャートを示す。
【図９】操作部（図２）のコピーサーバキー押下時に表示される操作画面の１例を示す。
【図１０】図９の画面における印刷条件キー押下時に表示される操作画面の１例を示す。
【図１１】操作部（図２）のスキャナキー押下時に表示される操作画面の１例を示す。
【図１２】図１１の画面における宛先編集キー押下時に表示される操作画面の１例を示す。
【図１３】図１２の画面における送信方法設定法の指定領域で手動キー押下時に開かれる操作画面の１例を示す。
【図１４】実績送信回数を管理するために行う送信回数の更新処理に係わるフローチャートを示す。
【図１５】送信方法の登録日時を管理するために行う登録日時取り込み処理に係わるフローチャートを示す。
【図１６】オペレータ（ユーザー）が指定する設定法に従う宛先（送信方法）の設定処理のフローチャートを示す。
【符号の説明】
１…自動原稿送り装置（ＡＤＦ）、  ２…原稿台、
６…コンタクトガラス、          １５…感光体、
１７…定着ユニット、              ２７…現像ユニット、
３０…操作部、                    ３１…液晶タッチパネル、
３２…テンキー、                  ３４…スタートキー、
３７…初期設定キー、              ３８…コピーキー、
３９…コピーサーバキー、          ４１…スキャナキー、
４９…画像処理ユニット（ＩＰＵ）、
５０…読み取りユニット、          ５７…書き込みユニット、
５８…レーザ出力ユニット、        ６７…Ｉ／Ｏポート、
６８…ＣＰＵ、                    ６５…画像メモリコントローラ、
６６…画像メモリ、                ７５…ＨＤＤ。
【図１】
2005012414.tif 000003
【図２】
2005012414.tif 000004
【図３】
2005012414.tif 000005
【図４】
2005012414.tif 000006
【図５】
2005012414.tif 000007
【図６】
2005012414.tif 000008
【図７】
2005012414.tif 000009
【図８】
2005012414.tif 000010
【図９】
2005012414.tif 000011
【図１０】
2005012414.tif 000012
【図１１】
2005012414.tif 000013
【図１２】
2005012414.tif 000014
【図１３】
2005012414.tif 000015
【図１４】
2005012414.tif 000016
【図１５】
2005012414.tif 000017
【図１６】
2005012414.tif 000018